(57)【要約】      （修正有）【課題】絶縁電線の屋内配線における分電盤等の機器への接続では、絶縁電線の導体を直接ネジ止めすることも多い。ネジ止めで接続する絶縁電線の導体の先端を、ネジの寸法に適合した所定寸法の円環状に、正確かつ効率的に成形するための工具を提供する。【解決手段】導体成形工具を、ネジの寸法に適合した所定の径の円柱部１Ａを有する本体丸棒１と絶縁電線の導体を円柱部に押し付ける平板状の挟み金具２とをピン３を介して連結し、本体丸棒の握り部１Ｅと挟み金具の握り部２Ｃとを手で握りしめ絶縁電線の導体を挟んだ状態で回転させる構造とする。【選択図】図１
0003156643.tif 000002
【実用新案登録請求の範囲】
【請求項１】
先端に絶縁電線の導体を巻き付ける円柱部を有する本体丸棒、導体を前記円柱部に押さえ込む平板状の挟み金具及び前記二つを回転自在に連結するピンによって構成される構造の導体の先端を円環状に成形するための工具。
【考案の詳細な説明】
【技術分野】
【０００１】
本考案は、絶縁電線の導体を円環状に成形する工具に関する。
【背景技術】
【０００２】
屋内配線には、導体径がφ１．６、φ２．０、φ２．６等の絶縁電線がよく用いられる。そして、この絶縁電線を分電盤のブレーカ等に接続する際、導体の先端部を端子ネジの寸法に適合した円環状に成形した後ネジ止めされている。
【０００３】
導体を円環状に成形する作業は、ペンチ等の汎用工具が用いられており、導体を小さく曲げすぎるとネジが通らず、また大きく曲げすぎるとブレーカの接続スペース内に収まらず、強引に挿入すると端子間を絶縁する絶縁バリアを破損する等の問題が発生する。導体を正確に効率よく的確な円環状に成形するには熟練を要するのが現状である。
【０００４】
電線の導体に圧着端子を付けるための工具については広く知られている（例えば、特許文献１〜３参照。）が、絶縁電線の導体を円環状に成形することについては、汎用工具を用いて行うのが一般的であり、このための専用工具については知られていない。
【先行技術文献】
【特許文献】
【０００５】
【特許文献１】特開２００９−１０４８９４号公報
【特許文献２】特開平８−２７３７９３号公報
【特許文献３】特開平８−１１１２４７号公報
【考案の概要】
【考案が解決しようとする課題】
【０００６】
絶縁電線の屋内配線における分電盤等の機器への接続では、絶縁電線の導体を直接ネジ止めすることも多い。ネジ止めで接続する絶縁電線の導体の先端を、ネジの寸法に適合した所定寸法の円環状に、正確かつ効率的に成形するための工具を提供する。
【課題を解決するための手段】
【０００７】
導体成形工具を、ネジの寸法に適合した所定の径の円柱部を有する本体丸棒と絶縁電線の導体を円柱部に押し付ける平板状の挟み金具とをピンを介して連結し、本体丸棒握り部と挟み金具握り部とを手で握りしめ絶縁電線の導体を挟んだ状態で回転させる構造とすることで解決した。
【考案の効果】
【０００８】
ペンチ等の汎用工具で絶縁電線の導体を円環に成形した場合、円環形状が正確な円にならず、また円環の内径寸法にもばらつきが生じたが、本考案の導体成形工具を使用すれば、初心者でも絶縁電線の導体を寸法のばらつきが小さい正確な円環形状に成形することが可能となる。
【図面の簡単な説明】
【０００９】
【図１】本考案の絶縁電線の導体を成形する工具の一例を示した斜視図である。
【図２】図１の工具を分解し、構成部品を示した斜視図である。（ａ）は本体丸棒を斜め左上から見た図である。（ｂ）は本体丸棒を斜め右上から見た図である。（ｃ）は挟み金具を斜め上から見た図である。（ｄ）はピンを見た図である。
【図３】成形の手順を示す図である。
【考案を実施するための形態】
【００１０】
本考案を実施するための形態を、図面に基づいて説明する。
【００１１】
図１は、本考案の一例を示したものである。金属製の本体丸棒１と平板状の挟み金具２とをピン３で連結し、本体丸棒１の本体丸棒握り部１Ｅと挟み金具２の挟み金具握り部２Ｃを手で握り締め回転させる構造の工具である。図２に構成部品を示すが、本体丸棒１には、先端に成形用の導体巻き付け円柱部１Ａと、挟み金具２を貫通させるための挿入スリット１Ｂと、導体押さえ部スリット１Ｃと、ピン３を通すための本体丸棒ピン貫通穴１Ｄと、手で握るための本体丸棒握り部１Ｅがある。挟み金具２には、導体４Ａを押さえる導体押さえ部２Ａと、ピン３を通す挟み金具ピン貫通穴２Ｂと、手で握るための挟み金具握り部２Ｃがある。ピン３には、抜け止めのための止め輪挿入溝３Ａがある。挿入スリット１Ｂと導体押さえ部スリット１Ｃは本体丸棒１を貫通してつながっており、挟み金具２を挿入できるようになっている。ピン３は、本体丸棒ピン貫通穴１Ｄと挟み金具ピン貫通穴２Ｂを共に貫通し、Ｅ型止め輪等を止め輪挿入溝３Ａに挿入してピン３の抜け止めを行う。ピン３により、本体丸棒１と挟み金具２とがペンチのように連結され、本体丸棒握り部１Ｅと挟み金具握り部２Ｃとを握り締め、導体４Ａを挟んだ状態で回転させるように構成される。
【００１２】
一般的なペンチの場合は握り部が対称形をしているが、本考案では握り部である本体丸棒握り部１Ｅと挟み金具握り部２Ｃの形状が非対称で、本体丸棒握り部１Ｅは丸棒状になっており、導体４Ａを導体巻き付け円柱部１Ａに巻き付ける動作において、本体丸棒握り部１Ｅの中心軸を中心にして回転させることにより、作業に必要な空間が狭くて済むという長所があり、込み入った場所での作業にも適している。また、導体４Ａを挟んでいるとき、挟み金具２の導体押さえ部２Ａの一部は、導体押さえ部スリット１Ｃに入り込んでいるので、導体を巻き付けるときに強い横向きの力がかかっても、挟み金具２の導体押さえ部２Ａが導体押さえ部スリット１Ｃで支えられ、導体押さえ部２Ａが曲がったり壊れたりすることがない。
【００１３】
次に、成形手順を、図３で説明する。先ず（ａ）に示すように、導体４Ａの先端部を、本考案工具の導体巻き付け円柱部１Ａと導体押さえ部２Ａで挟む。次に（ｂ）に示すように、絶縁電線４をしっかり引っ張りながら、本考案工具を回転させて導体４Ａを導体巻き付け円柱部１Ａに巻き付ける。一度で巻き付けられない場合は、何度か挟み直して巻き付ければよい。その後（ｃ）に示すように、成形された円環の根本を挟み直し、導体４Ａを約４５度巻き付けと反対方向に曲げて、（ｄ）に示す状態で成形が完了する。成形された円環はクエスチョンマークのような綺麗な形状となる。
【実施例】
【００１４】
本考案の詳細を実施例で説明する。本考案はこの実施例によって何ら限定されるものではない。
【００１５】
図１に示す工具を鋼製で試作した。本体丸棒１は、太さ１６ｍｍ、長さ１５０ｍｍ、導体巻き付け円柱部１Ａは直径５．４ｍｍとした。これはＭ５ネジ用のサイズである。また平板状の挟み金具２は厚さ３．２ｍｍとした。本体丸棒握り部１Ｅと挟み金具握り部２Ｃには、滑り防止用に樹脂製の収縮チューブを被覆した。
【００１６】
この工具を用いて、前記図３に示す成形手順に従って操作したところ、初心者でも５〜１０秒程度で、絶縁電線の導体を円環状に成形することが可能であった。
【符号の説明】
【００１７】
１    本体丸棒
１Ａ  導体巻き付け円柱部
１Ｂ  挿入スリット
１Ｃ  導体押さえ部スリット
１Ｄ  本体丸棒ピン貫通穴
１Ｅ  本体丸棒握り部
２    挟み金具
２Ａ  導体押さえ部
２Ｂ  挟み金具ピン貫通穴
２Ｃ  挟み金具握り部
３    ピン
３Ａ  止め輪挿入溝
４    絶縁電線
４Ａ  導体
【図１】
0003156643.tif 000003
【図２】
0003156643.tif 000004
【図３】
0003156643.tif 000005
【手続補正書】
【提出日】平成21年10月30日(2009.10.30)
【手続補正１】
【補正対象書類名】実用新案登録請求の範囲
【補正対象項目名】全文
【補正方法】変更
【補正の内容】
【実用新案登録請求の範囲】
【請求項１】
先端に絶縁電線の導体を巻き付ける円柱部を有する本体丸棒、導体を前記円柱部に押さえ込む平板状の挟み金具、及び前記本体丸棒と前記挟み金具を回転自在に連結するピンによって構成される構造の導体の先端を円環状に成形するための工具。